(57)【特許請求の範囲】
【請求項１】
管路を支持するための架構に付設されて該管路の長さ方向に沿って移動し得る移動足場であって、
前記架構に前記管路の長さ方向に沿うレールを設けるとともに、作業足場となる作業床に車輪を設けて該作業床を前記レールに沿って走行可能に設けてなることを特徴とする移動足場。
【請求項２】
請求項１記載の移動足場であって、
前記架構は、一対の支柱と、それら支柱の上端間に横架されて前記管路を支持する梁と、前記各支柱の柱脚部と前記梁の各端部との間に設けられた一対のブレースとにより構成されていて、前記梁の下方において前記ブレースの上端部相互間に前記作業床が前記管路の長さ方向に通過し得る間隔が確保されているとともに、前記レールはそれらブレースの上部に取り付けられてなることを特徴とする移動足場。
【請求項３】
請求項２記載の移動足場であって、
前記作業床には、前記支柱の外側に展張可能かつ前記ブレースの内側に収納可能な補助作業床が設けられていることを特徴とする移動足場。
【発明の詳細な説明】
【０００１】
【発明の属する技術分野】
本発明は、架構上に設置された管路の保守作業を行なうための移動足場に関するものである。
【０００２】
【従来の技術】
火力発電所等の大規模なプラント内においては、燃料、冷却水、空気、排気ガス、排水等の、さまざまな気体、液体を搬送するための管路が設けられているが、これらの管路は、プラント内敷地を有効に利用するために、高所に設けられることが通常であり、そのため架構上に一括して設置される。
【０００３】
【発明が解決しようとする課題】
ところで、これらの管路には、定期的に保冷、塗装等の保守作業が行なわれるが、従来、この高所に設置された管路の保守作業を行なうに際しては、そのつど必要箇所に地上より仮設足場を設置した後に保守作業を行ない、保守作業の終了後に仮設足場を撤去していた。
そのため、仮設足場の設置および撤去に多くの経費がかかり、また、一回の保守作業を行なうに要する期間が長くなるため、その間、操業を停止するプラントの経済的損失は極めて大きなものとなるので、上記管路の保守作業を低廉かつ迅速になすことのできる装置が要望されていた。
【０００４】
本発明は、前記の事情に鑑みてなされたものであって、架構上に設置された管路の保守作業を、低廉かつ迅速に行なうことのできる移動足場を提供することを目的とする。
【０００５】
【課題を解決するための手段】
本発明の移動足場は、管路を支持するための架構に付設されて該管路の長さ方向に沿って移動し得る移動足場であって、前記架構に前記管路の長さ方向に沿うレールを設けるとともに、作業足場となる作業床に車輪を設けて該作業床を前記レールに沿って走行可能に設けてなることを特徴とするものである。
そして、前記架構は、一対の支柱と、それら支柱の上端間に横架されて前記管路を支持する梁と、前記各支柱の柱脚部と前記梁の各端部との間に設けられた一対のブレースとにより構成されていて、前記梁の下方において前記ブレースの上端部相互間に前記作業床が前記管路の長さ方向に通過し得る間隔が確保されているとともに、前記レールはそれらブレースの上部に取り付けられるという技術が付加される。
また、前記作業床には、前記支柱の外側に展張可能かつ前記ブレースの内側に収納可能な補助作業床が設けられるという技術が適用される。
【０００６】
【発明の実施の形態】
本発明の一実施例を図１および図２を参照して説明する。
図１は、本発明の移動足場１を示す正面図であり、図２は、同じく側面図である。
【０００７】
保守すべき管路９ａ、９ｂ、９ｃ、９ｄが設置されている架構１１は、地表Ｇに基礎部Ｂを設けて建てられた支柱１２と、両端部において支柱１２に支持され管路９ａ、９ｂ、９ｃ、９ｄを載置する梁１３と、支柱１２と梁１３とを連結するブレース１４と、管路９ａ、９ｂ、９ｃ、９ｄの延在する方向において隣接して配置されている梁１３の両端部をそれぞれ連結する縦梁１５と、平行する縦梁１５間に配置され管路９ａ、９ｂ、９ｃ、９ｄを支持する補助梁１６とから形成されている。
【０００８】
そして、ブレース１４は、支柱１２の基礎部Ｂと梁１３の中央より支柱１２側に近接する位置とを連結するように配置されていて、移動足場１を構成する二条のレール２は、管路９ａ、９ｂ、９ｃ、９ｄの延在する方向に延在するように、それぞれ取付部材２１を介してブレース１４に取り付けられている。
【０００９】
移動足場１は、上述した二条のレール２と、車輪３を備え車輪３によってレール２上を移動自在とされている作業床４とから構成されている。
そして、作業床４は、レール２の延在する方向と直交する方向の両側に展張・収納自在なる補助作業床５を備えるとともに手摺６が取り付けられており、また、補助作業床５には、折り畳み自在な補助手摺７が配置されている。
【００１０】
また、図示は省略したが、作業床４から地表Ｇには作業床４を牽引するためのロープが吊り下げられるとともに、作業床４にはこの作業床４をレール２に対して固定するための、例えばブレーキ等の適宜の固定装置が配置されている。
【００１１】
このブレース１４へのレール２の高さ方向の取付位置は、作業床４上の作業員が他の補助手段なしに管路９ａ、９ｂ、９ｃ、９ｄの保守作業が行なえるように設定されている。
【００１２】
上記の構成からなる移動足場１を用いた管路９ａ、９ｂ、９ｃ、９ｄの保守作業を説明する。
まず、通常、所定の場所に保管されている作業床４をレール２上を走行可能とし、作業員が作業床４に搭乗してロープを地表Ｇへと垂下する。
【００１３】
地表Ｇ上の作業員は、作業床４上の作業員の支持に従ってロープを牽引しレール２上の作業床４を移動させて管路９ａ、９ｂ、９ｃ、９ｄの保守作業を行なうべき所定の位置へと配置する。
【００１４】
そして、作業床４の作業員は、作業床４に設けられている固定装置によって作業床４をレール２に対して固定し、また、作業床４から両側の補助作業床５を展張させ、この補助作業床５が備える補助手摺７を建てた後、管路９ａ、９ｂ、９ｃ、９ｄの保守作業を行なう。
【００１５】
最初の位置における管路９ａ、９ｂ、９ｃ、９ｄの保守作業が終了したら、作業床４の作業員は、作業床４の固定装置による作業床４とレール２との固定を解除し、地表Ｇ上の作業員に指示を送って、レール２上の作業床４を次に保守作業を行なうべき位置へ移動させる。
このとき、作業床４が、架構１１の梁１３を支持して対向して配置されている支柱１２間、すなわち、ブレース１４間を通過する場合には、作業床４上の作業員は、作業床４の固定装置による作業床４とレール２との固定を解除する前に、予め、補助手摺７を補助作業床５内に折り畳むとともに、補助作業床５を作業床４内に収納しておく。
【００１６】
そして、作業床４を新たな保守作業位置に配置した後、上記と同様に、管路９ａ、９ｂ、９ｃ、９ｄの保守作業を行なう。
【００１７】
これらの操作を繰り返して、管路９ａ、９ｂ、９ｃ、９ｄを保守すべき全ての位置における作業が終了したら、作業床４上の作業員は、補助手摺７を補助作業床５内に折り畳むとともに、補助作業床５を作業床４内に収納し、作業床４とレール２との固定を解除する。
【００１８】
また、地表Ｇ上の作業員は、作業床４上の作業員の支持に従ってロープを牽引し、レール２上の作業床４を所定の収納場所まで移動させる。
そして、作業床４から作業員が降り、作業床４を収納して、管路９ａ、９ｂ、９ｃ、９ｄの保守作業は完了する。
【００１９】
上記のように、本発明の移動足場１を用いることにより、架構１１上に設置されている管路９ａ、９ｂ、９ｃ、９ｄの保守作業を行なうに際して、そのつど必要箇所に地表Ｇ上より仮設足場を設置し、保守作業の終了後に、この仮設足場を撤去するという作業が不要となるため、管路９ａ、９ｂ、９ｃ、９ｄの保守作業に要する経費が低減されるとともに、一回の保守作業を行なうに要する期間が大幅に短縮される。
よって、管路９ａ、９ｂ、９ｃ、９ｄの保守作業の間、操業を停止するプラントの経済的損失もまた、大幅に低減されることとなる。
【００２０】
また、本発明の移動足場１は、管路９ａ、９ｂ、９ｃ、９ｄを載置している既設の架構１１に取り付けて管路９ａ、９ｂ、９ｃ、９ｄの保守作業に用いるだけではなく、管路９ａ、９ｂ、９ｃ、９ｄを設置するための架構１１を新設するときに、同時に移動足場１を設けることによって架構１１上への管路９ａ、９ｂ、９ｃ、９ｄの設置作業に用いることができる。
【００２１】
なお、上記実施例においては、管路９ａ、９ｂ、９ｃ、９ｄを載置している架構１１の支柱１２と梁１３とを連結しているブレース１４が、支柱１２の基礎部Ｂと梁１３の中央より支柱１２側に近接する位置とを連結するように配置されていて、移動足場１を構成するレール２は、このブレース１４に取り付けられている場合を例にあげたが、本発明の移動足場はこれに限られるものではなく、例えば、二本のブレースが、それぞれ支柱１２の基礎部Ｂと梁１３の中央部とを連結するように配置されている場合においては、移動足場１を構成する二条のレール２のうちの一方のレール２を支柱１２に、他方のレール２をブレースにそれぞれ取り付けて、梁１３、支柱１２およびブレースによって囲まれる二つの空間内にそれぞれ作業床４を配置すれば良い。
この場合も、移動足場１のそれぞれの作業床４にレール２の延在する方向と直交する方向の両側に展張・収納自在なる補助作業床５を備えることにより、十分な作業スペースを確保することができる。
【００２２】
また、一本のブレースが、梁１３の一端部側の支柱１２の基礎部Ｂと梁１３の他端部とを連結し、もう一本のブレースが、梁１３の他端部側の支柱１２の基礎部Ｂと梁１３の一端部とを連結している場合においては、移動足場１を構成するレール２をこれら二本のブレースの互いに交叉している位置より上方に取り付ければ良い。
この場合もまた、移動足場１の作業床４の両側に展張・収納自在なる補助作業床５を備えることにより、十分な作業スペースを確保することができる。
【００２３】
さらに、支柱１２および梁１３が強固な構造を有していて、ブレースに相当する部材が配置されていない場合においては、移動足場１を構成する二条のレール２を、それぞれ支柱１２に取り付ければ良い。
【００２４】
また、上記実施例においては、レール２上を作業床４を走行させる手段として、作業床４から地表Ｇにロープを吊り下げ、地表Ｇ上の作業員がこれを牽引するという方法を例にあげたが、作業床４にトロッコ式の駆動機構を備えて作業床４上の作業員自身が作業床４を走行させる、あるいは、作業床４の重量は作業員が搭乗した状態においても大なるものではないので、作業床４に小型の電動モータを備え自走式とする等、適宜な手段を採用すれば良い。
【００２５】
そして、移動足場１の作業床４が備える手摺６も、レール２の取付高さにより架構１１の梁１３と干渉する場合においては、折り畳み式とすれば良い。
【００２６】
【発明の効果】
本発明に係る移動足場によれば、以下の効果を奏する。
（１）架構上に設置されている管路の保守作業を行なうに際して、そのつど必要箇所に地上より仮設足場を設置し、保守作業の終了後に、この仮設足場を撤去するという作業が不要となるため、管路の保守作業に要する経費が低減されるとともに、一回の保守作業を行なうに要する期間が大幅に短縮される。よって、管路の保守作業の間、操業を停止するプラントの経済的損失もまた、大幅に低減される。
（２）管路を設置するための架構を新設するときに、同時に移動足場を設けることによって架構上への管路の設置作業に用いることができる。
【図面の簡単な説明】
【図１】本発明の一実施例である移動足場を示す正面図である。
【図２】同じく側面図である。
【符号の説明】
１    移動足場
２    レール
３    車輪
４    作業床
５    補助作業床
９ａ  管路
９ｂ  管路
９ｃ  管路
９ｄ  管路
１１    架構
１２    支柱
Ｂ    基礎部
１３    梁
１４    ブレース
【図１】
0003541505.tif 000002
【図２】
0003541505.tif 000003